(57)【要約】      （修正有）【課題】磁気水製造器であって、現在使用の用具は、道水管や蛇口への専用器具や、大型の機器類でない、移動が容易である磁気水製造器の提供。【解決手段】農業用水等に使用できる、Ａ４の盤に数個の長方形磁石１６を縦に４列で対面させ、これを固定材で保持して合成樹脂等のカバー６で覆い、４列の両外側には高い磁極壁５に構築した磁気化水盤であり、この水盤には４列の磁極部で対面させた３列の流入水路１１を有し、流入水路１１の磁極壁５の間を偏りなく用水を通過させるため、磁気化水盤に用水を口径約１２ｃｍの用水管や貯留槽から傾斜を付けて３列の流入水路１１に落とし入れ、磁極壁５間を通過させて磁気化水１が得る、流入水路の上面は覆わず開放して用水の浮遊物を除去し、発生させた磁気化水１を圃場等に流し入れ、名称札８や識別番号１３を添付することで盗難防止を図り、磁気化水１の発生や維持管理と移動が簡単な、磁気化水盤。【選択図】図１
2019051503.tif 000002
【特許請求の範囲】
【請求項１】
用水等使用し磁気化水を発生させる盤で、用水路等に対応する大きさの盤に数個の磁石を１対以上で縦に磁極面を対面させ１つ以上の流入水路を有し、磁石を固定材で保持して合成樹脂等のカバーで覆い２対以上は両外側を高い磁極壁を構築した磁気化水盤で、
この磁気化水盤は、動力は必要なく上面は開放して、用水を１対以上で縦に磁極面を対面させた１つ以上の流入水路に落とし入れ、その対面する磁極部間に偏りなく用水を通過させ磁気化水を発生させて、圃場等に流し入れることを特徴とする磁気化水盤。
【発明の詳細な説明】
【技術分野】
【０００１】    本発明の磁気化水盤は、農業用水等でも使用可能に、Ａ４の盤に数個の長方形磁石を縦に４列で対面させ、長方形等の磁石を固定材で保持し合成樹脂等のカバーで覆い、その４列の両外側を高い磁極壁に構築した磁気化水盤、この水盤には磁極面で対面させた３列の流入水路を有し、その対面する３列の流入水路の磁極部間を偏りなく用水を通過させて磁気化水を発生し、動力機器などは必要なく、磁気化水盤に用水を用水管や貯留槽から傾斜を付けて、流入水路に流し入れ磁極壁間を通過させるだけで磁気化水が得られ、流入水路の上面は覆わず開放して用水の浮遊物を除去し、発生させた磁気化水を圃場等に流し入れ、磁気化水盤の落水部面に所有者の名称や識別番号を、添付表示できることを特徴とする、磁気化水盤が提供される。
【背景技術】
【０００２】  現在使用の器具は道水管や蛇口に専用の器具で永久磁石を、ケースで密閉装着する数個の磁石と複雑に配管し、水を流し磁気化水をつくる器具と装置の中で配管した特殊な装置や、電磁石で磁場を作り磁気化水を発生させ配水管に固定する装置で、動力機器を使用し移動させる事は出来ない器具類である。
【先行技術文献】
【特許文献】
【０００３】
【特許文献１】特許第３９００２２７号公報
【特許文献２】特開平１０−１５６３６７号公報
【特許文献３】特開平０８−２２４５８３号公報
【特許文献４】特開平０７−０５１６７８号公報
【発明の概要】
【発明が解決しようとする課題】
【０００４】    上記特許文献１に示す磁気処理方法は、導管内を液体が流れている導水管の周りに一対、又は、複数対の永久磁石で同じ磁極が該導管に密着するようにかつ各一対の、永久磁石が導管を挟んで向き合うように配置し、磁石を使用して導管内の液体に作用させ永久磁石で、導管に密着している磁極に鉄板を重ねて設置させた物、複数対の永久磁石を密着させ導管に密着させて磁気を導管内の液体に作用させる、導水管に密閉装着し固定せねば成らない、使用場所を簡易に変える事ができ無い。
特許文献２に示す磁気水製造器は、筒装置にチューブを数回巻き付け複数の環状の磁石を取り付し、磁石の中心部を貫通させて磁気化する装置であり、装置の磁石の数を多数装着せねばならない機械装置である。
特許文献３に示す循環式磁気処理水の製造装置で、磁気水補給槽に循環ポンプで磁気処理器を通過させて、磁気処理水が作られる製造装置である。
特許文献４に示す水槽用磁気水処理装置は、磁石を複数個縦横方向に配置その間に、ホルダーと連結棒やリングを組合せ前後に流量制御筒を配置して、収納しケースの両端に円管を取り付し一方を注入口で他方を排水口で、水槽取り付け専用磁気水処理装置である。【０００５】    本発明の磁気化水盤は、農業用水等でも使用可能に、Ａ４の盤に数個の長方形磁石を縦に４列で対面させた形状で、長方形磁石を固定材で保持して合成樹脂等のカバーで覆い、４列の両外側を高い磁極壁を構築した磁気化水盤、この水盤には３列の磁極部で対面させた３列の流入水路を有し、その対面する３列の流入水路の磁極壁間を偏りなく用水を通過させ磁気化水を得られ、動力機器などは必要なく、磁気化水盤に用水を口径約１２ｃｍの用水管や貯留槽から傾斜を付け、３列の流入水路に流し入れ磁極壁間を通過させるだけで磁気化水を発生し、流入水路の上面は覆わず開放して用水の浮遊物を除去し発生させた磁気化水を圃場等に流し入れ、磁気化水盤の落水部面に所有者の名称や識別番号を添付表示できることを特徴とする、磁気化水盤である。
【課題を解決するための手段】
【０００６】    上記課題を解決するため、Ａ４の盤に対面させた長方形磁石で、両外側を高くした４列の磁極部壁を構築した磁気化水盤で、３列の流入水路で開放された流入水路の磁極部間を、動力機器は必要とせず流入通過させるだけで磁気化水を発生させられ、流入水路上部は覆わず用水の浮遊物を除去し、用水路から磁気化水盤に直接落水して磁気化水を得られることを特徴とする磁気化水盤である。
【発明の効果】
【０００７】    本発明は、農業用水等でも使用可能に、Ａ４の大きさの盤に数個の長方形磁石を縦に４列で対面させた形状とし、長方形磁石を固定材で保持して合成樹脂等のカバーで覆い、４列の両外側は高い磁極壁に構築した磁気化水盤、この水盤には４列の磁極部で対面させた３列の流入水路を有し、その対面する３列の流入水路の磁極壁間を偏りなく用水を通過させて磁気化水を発生し、動力機器などは必要なく、磁気化水盤に用水を口径約１２ｃｍの用水管や貯留槽から傾斜を付けて、３列の流入水路に落とし入れ磁極壁間を通過させるだけで磁気化水が得られて、流入水路の上面は覆わず開放して用水の浮遊物を除去し、発生させた磁気化水を圃場等に流し入れ、磁気化水盤の落水部面に所有者の名称や識別番号を添付表示できることを特徴とする、磁気化水盤。【０００８】      Ａ４の盤に数個の長方形磁石で磁極部を縦に４列で対面させた形状で、Ａ４の盤に磁石が対面する４列の磁極部を構築し、水盤には４列の磁極部で開放された３列の通水路を有し、動力機器は必要とせず用水を偏りなく通過させて磁気化水を発生させ、流入水路上面は覆わず用水の浮遊物を除去し、水盤の磁極部壁の先を絞り、通過する速度を上げ磁気化水を効果的に発生させ、用水路から磁気化水盤の流入水路に落とし入れ、流入水路の両磁極間を通過させるだけ磁気化水を発生させる構造で、水盤に名称札や識別番号を添付できることを特徴とする、磁気化水盤である。
【図面の簡単な説明】
【０００９】
【図１】は磁気化水盤の上面からの構成図と形態図である。
【図２】（Ａ）（Ｂ）（Ｃ）は磁気化水盤の構成図と側面の透視図と形態図である。
【発明を実施するための形態】
【実施例】
【００１０】    図１は、Ａ４の盤に長方形磁石１６を磁石カバー６で４列の磁極壁５を構築した磁気化水盤７、対面する４列の両磁極部で３列の流入水路１１を構成し、用水路の用水管１０から落水部９に用水２を落とし入れ、３列の開放された流入水路１１の磁石Ｎ面３と磁石Ｓ面４の両磁極部間を流入通過させて、磁気化水１を発生させる、表示した名称札８と識別番号１３は盗難防止用で、ＩＣチップ１４でも識別番号１３を確認でき、固定杭１２で流失防止を図る水盤７の構造で、上面からの構成図と形態図である。
図２（Ａ）は、磁気化水盤７に４列で磁石Ｎ面３と磁石Ｓ面４を対面配置し、長方形磁石１６を固定材１７で保持し、磁石カバー６で両側を高くした４列で両外側は高い磁極壁５を構築し、対面した３列の磁極部間で開放された流入水路１１に、用水２を中央部に寄せ３列の流入水路１１に偏りなく流入させ、磁気化水１を発生させる磁気化水盤７の構造で、磁気化水盤７に両側を高くした４列の磁極壁５を形成した正面からの断面の透視図である。
図２（Ｂ）は、縦約１０ｍｍ横約３０ｍｍ幅約５ｍｍの磁気化水１を発生させる、長方形磁石１６の形態図である。
図２（Ｃ）は、磁石カバー６の流入先端部に用水２の浮遊物を通過させる傾斜１５を設け、用水２を口径約１２ｃｍの用水管１０から流入水路１１の落水部９に落とし入れ、前方は長方形磁石１６を横に後部は長方形磁石１６を立て用水２量が多くとも効力を得られ、動力機器を必要とせず、用水２を偏りなく流入水路１１の磁極部を通過させ磁気化水１を発生させる、ＩＣチップ１４を封入した磁気化水盤７と固定杭１２で流失防止をはかる構成で磁極部側面の形態図である。
【産業上の利用可能性】
【００１１】    本発明は、農業用水等でも使用が可能に、用水路等に対応する大きさの盤に数個の長方形磁石を縦に並べた形状で、その水盤に４列で両外側が高い対面させた両磁極壁を構築して磁気化水盤とし、この磁気化水盤の３列で対面する磁極部の流入水路に用水を流入通過させて、磁気化水を確保し通水路上部は覆わず用水の浮遊物を通過させ圃場等に使用、動力機器を必要とせず、用水路から磁気化水盤の落水部に直接流入し、偏りなく流入水路を通過させるだけで磁気化水を発生させ、表示する名称札と識別番号で盗難を防止し、道水管等の配置されていない山の出水でも磁気化水の確保が簡単な、磁気化水盤が提供される。
【符号の説明】
【００１２】  １  磁気化水
２  用水
３  磁石Ｓ面
４  磁石Ｎ面
５  磁極壁
６  磁石カバー
７  磁気化水盤
８  名称札
９  落水部
１０  用水管
１１  流入水路
１２  固定杭
１３  識別番号
１４  ＩＣチップ
１５  傾斜
１６  長方形磁石
１７  磁石固定材
【図１】
2019051503.tif 000003
【図２】
2019051503.tif 000004